(57)【要約】  著作権保護のためにコンテンツにコピー制限が課せられている場合であっても、記録領域を有効に利用してコンテンツを記録できるようにする。チューナ制御部１１，２１は、利用予約の要求に従って、利用情報１１ａ，２１ａを更新しチューナ利用権を設定する。録画管理部１２２は、コンテンツの複数録画を指示されると、チューナ制御部１１，２１から利用情報１１ａ，２１ａを取得し、利用可能なチューナ１３，２３を調べる。そして、録画管理部１２２は、録画に用いるチューナ１３，２３のチューナ利用権を確保する。また、録画管理部１２２は、確保したいずれか１つのチューナが受信するコンテンツをレコーダ１４に記録させる。そして、コンテンツ管理部１２１は、確保したチューナ１３，２３数をコンテンツの保有数として含むコンテンツ管理情報１２ａを記録する。【特許請求の範囲】
【請求項１】
映像と音声のいずれか、または、両方を含みコピー制限を課せられたコンテンツを記録する記録システムであって、前記コンテンツの記録時に利用可能な前記コンテンツの受信手段の数をコピー可能回数として記憶することを特徴とする映像／音声記録システム。
【請求項２】
映像と音声のいずれか、または、両方を含みコピー制限を課せられたコンテンツを記録する映像／音声記録システムであって、コンテンツを受信する複数のコンテンツ受信手段と、同一のコンテンツの複数記録が指示されると、コンテンツの記録数と同数のコンテンツ受信手段を確保する受信数確保手段と、コンテンツを記録するコンテンツ記録手段と、前記コンテンツ記録手段が記録するコンテンツの保有数を示すコンテンツ保有数情報を記憶する保有数記憶手段と、前記保有数記憶手段が記憶するコンテンツ保有数情報にもとづいて、前記コンテンツ記録手段が記録するコンテンツの保有数を管理する保有数管理手段とを備え、前記コンテンツ記録手段は、前記受信数確保手段が確保したコンテンツ受信手段のうちのいずれか１つのコンテンツ受信手段が受信したコンテンツを記録し、前記保有数記憶手段は、前記受信数確保手段が確保したコンテンツ受信手段の数をコンテンツの保有数として含むコンテンツ保有数情報を記憶することを特徴とする映像／音声記録システム。
【請求項３】
コンテンツ記録手段が記録するコンテンツを外部の記録手段にコピーするコンテンツコピー手段を備え、保有数管理手段は、前記コンテンツコピー手段がコンテンツを外部の記録手段にコピーすると、保有数記憶手段が記憶するコンテンツ保有数情報に示される保有数を、前記外部の記録手段にコピーしたコンテンツの数だけ減算する請求項２記載の映像／音声記録システム。
【請求項４】
コンテンツ受信手段を利用する権利である受信手段利用権を設定する利用権設定手段を備え、受信数確保手段は、同一のコンテンツの複数記録が指示されると、コンテンツの記録数と同数のコンテンツ受信手段に対する受信手段利用権を前記利用権設定手段に設定させることによって、コンテンツ受信手段を確保する請求項２又は請求項３記載の映像／音声記録システム。
【請求項５】
コンテンツ受信手段の利用予約状況を示す利用予約情報を記憶する利用予約情報記憶手段を備え、利用権設定手段は、コンテンツ受信手段の利用予約の要求に応じて、前記利用予約情報記憶手段が記憶する利用予約情報に新たな利用予約内容を追加することによって、受信手段利用権を設定する請求項４記載の映像／音声記録システム。
【請求項６】
利用予約情報記憶手段は、利用予約情報として、コンテンツ受信手段を利用する利用日時と、前記コンテンツ受信手段を利用する主体である利用主体とを対応付けて記憶し、利用権設定手段は、前記利用予約情報にもとづいて、前記利用主体以外による前記コンテンツ受信手段の利用要求を前記利用日時に受け付けないように制御することによって、前記利用主体の受信手段利用権を確保する請求項５記載の映像／音声記録システム。
【請求項７】
受信数確保手段は、同一のコンテンツの複数記録が指示されると、利用権設定手段によって受信手段利用権を設定されていないコンテンツ受信手段を特定し、前記指示された記録数が前記特定したコンテンツ受信手段の数以下であるか否かを判断し、前記指示された記録数が前記特定したコンテンツ受信手段の数以下であると判断すると、前記指示された記録数と同数のコンテンツ受信手段を確保し、前記指示された記録数が前記特定したコンテンツ受信手段の数より大きいと判断すると、所定の条件に従って確保すべきコンテンツ受信手段の数を決定し、前記決定した数のコンテンツ受信手段を確保する請求項４から請求項６のうちのいずれか１項に記載の映像／音声記録システム。
【請求項８】
受信数確保手段は、該指示された記録数が特定したコンテンツ受信手段の数より大きいと判断すると、前記特定したコンテンツ受信手段を確保する請求項７記載の映像／音声記録システム。
【請求項９】
受信数確保手段は、指示された記録数が特定したコンテンツ受信手段の数より大きいと判断すると、所定の優先条件に従って指示内容を優先するか否かを判断し、指示内容を優先すると判断すると、既に受信手段利用権を設定されているコンテンツ受信手段に対する受信手段利用権の設定を利用権設定手段に変更させることによって、指示された記録数と同数のコンテンツ受信手段を確保する請求項７記載の映像／音声記録システム。
【請求項１０】
映像と音声のいずれか、または、両方を含みコピー制限を課せられたコンテンツを記録する記録システムのコンテンツ管理サーバであって、前記コンテンツの記録時に利用可能な前記コンテンツの受信手段の数をコピー可能回数として記憶するように制御することを特徴とするコンテンツ管理サーバ。
【請求項１１】
映像と音声のいずれか、または、両方を含みコピー制限を課せられたコンテンツを記録する記録システムのコンテンツ管理サーバであって、前記コンテンツの受信手段に予約制御を行い、前記コンテンツの記録時に利用可能な前記コンテンツの受信手段の数をコピー可能回数として記憶するように制御することを特徴とするコンテンツ管理サーバ。
【請求項１２】
映像と音声のいずれか、または、両方を含みコピー制限を課せられたコンテンツを受信する複数のコンテンツ受信手段と、前記コンテンツを記録する記録手段とを少なくとも備えた映像／音声記録システムのコンテンツ管理サーバであって、同一のコンテンツの複数記録が指示されると、コンテンツの記録数と同数のコンテンツ受信手段を確保する受信数確保手段と、前記コンテンツ記録手段が記録するコンテンツの保有数を示すコンテンツ保有数情報を記憶するように制御を行う保有数記憶手段と、前記保有数記憶手段によって記憶するように制御されたコンテンツ保有数情報にもとづいて、前記コンテンツ記録手段が記録するコンテンツの保有数を管理する保有数管理手段とを含み、前記コンテンツ記録手段は、前記受信数確保手段が確保したコンテンツ受信手段のうちのいずれか１つのコンテンツ受信手段が受信したコンテンツを記録するように制御し、前記保有数記憶手段は、前記受信数確保手段が確保したコンテンツ受信手段の数をコンテンツの保有数として含むコンテンツ保有数情報を記憶するように制御することを特徴とするコンテンツ管理サーバ。
【請求項１３】
コンテンツ受信手段を利用する権利である受信手段利用権を設定する利用権設定手段を備え、受信数確保手段は、同一のコンテンツの複数記録が指示されると、コンテンツの記録数と同数のコンテンツ受信手段に対応する受信手段利用権を前記利用権設定手段に設定させることによって、コンテンツ受信手段を確保する請求項１２記載のコンテンツ管理サーバ。
【請求項１４】
映像と音声のいずれか、または、両方を含みコピー制限を課せられたコンテンツを受信する複数のコンテンツ受信手段を含むシステムにおける、前記コンテンツを記録する映像／音声記録装置であって、同一のコンテンツの複数記録が指示されると、コンテンツの記録数と同数のコンテンツ受信手段を確保する受信数確保手段と、コンテンツを記録するコンテンツ記録手段と、前記コンテンツ記録手段が記録するコンテンツの保有数を示すコンテンツ保有数情報を記憶する保有数記憶手段と、前記保有数記憶手段が記憶するコンテンツ保有数情報にもとづいて、前記コンテンツ記録手段が記録するコンテンツの保有数を管理する保有数管理手段とを備え、前記コンテンツ記録手段は、前記受信数確保手段が確保したコンテンツ受信手段のうちのいずれか１つのコンテンツ受信手段が受信したコンテンツを記録し、前記保有数記憶手段は、前記受信数確保手段が確保したコンテンツ受信手段の数をコンテンツの保有数として含むコンテンツ保有数情報を記憶することを特徴とする映像／音声記録装置。
【請求項１５】
映像と音声のいずれか、または、両方を含みコピー制限を課せられたコンテンツを記録する映像／音声記録システムにおける、前記コンテンツを受信する受信装置であって、前記コンテンツを受信するコンテンツ受信手段と、前記コンテンツ受信手段を利用する権利である受信手段利用権を設定する利用権設定手段とを備えたことを特徴とする映像／音声記録システムの受信装置。
【請求項１６】
前記コンテンツ受信手段の利用予約状況を示す利用予約情報を記憶する利用予約情報記憶手段を備え、前記利用予約情報記憶手段は、利用予約情報として、コンテンツ受信手段を利用する利用日時と、前記コンテンツ受信手段を利用する主体である利用主体とを対応付けて記憶し、利用権設定手段は、前記利用予約情報にもとづいて、前記利用主体以外による前記コンテンツ受信手段の利用要求を前記利用日時に受け付けないように制御することによって、前記利用主体の受信手段利用権を確保する請求項１５記載の映像／音声記録システムの受信装置。
【請求項１７】
映像と音声のいずれか、または、両方を含みコピー制限を課せられたコンテンツを記録する映像／音声記録システムにおける、前記コンテンツを受信し記録するレコーダであって、前記コンテンツを受信するコンテンツ受信手段と、前記コンテンツ受信手段を利用する権利である受信手段利用権を設定する利用権設定手段とを備えたことを特徴とする映像／音声記録システムのレコーダ。
【請求項１８】
映像と音声のいずれか、または、両方を含みコピー制限を課せられたコンテンツを受信する複数のコンテンツ受信手段を備えたシステムにおける、前記コンテンツを記録する映像／音声記録方法であって、同一のコンテンツの複数記録が指示されると、コンテンツの記録数と同数のコンテンツ受信手段を確保するステップと、前記確保したコンテンツ受信手段のうちのいずれか１つのコンテンツ受信手段が受信したコンテンツを記録するステップと、前記確保したコンテンツ受信手段の数をコンテンツの保有数として含むコンテンツ保有数情報を記憶するステップと、前記記憶したコンテンツ保有数情報にもとづいて、前記記録したコンテンツの保有数を管理するステップとを含むことを特徴とする映像／音声記録方法。
【請求項１９】
同一のコンテンツの複数記録が指示されると、コンテンツの記録数と同数のコンテンツ受信手段に対応する、当該コンテンツ受信手段を利用する権利である受信手段利用権を設定することによって、コンテンツ受信手段を確保する請求項１８記載の映像／音声記録方法。
【請求項２０】
映像と音声のいずれか、または、両方を含みコピー制限を課せられたコンテンツを受信する複数のコンテンツ受信手段と、前記コンテンツを記録する記録手段とを備えた記録するシステムにおける、前記記録するコンテンツを管理するための映像／音声管理プログラムであって、コンピュータに、同一のコンテンツの複数記録が指示されると、コンテンツの記録数と同数のコンテンツ受信手段を確保する処理と、前記確保したコンテンツ受信手段のうちのいずれか１つのコンテンツ受信手段が受信したコンテンツを、前記記録手段に記録させる処理と、前記確保したコンテンツ受信手段の数をコンテンツの保有数として含むコンテンツ保有数情報を記憶する処理と、前記記憶したコンテンツ保有数情報にもとづいて、前記記録手段に記録させたコンテンツの保有数を管理する処理とを実行させるための映像／音声管理プログラム。
【発明の詳細な説明】
【技術分野】
【０００１】
本発明は、映像や音声を含む映像音声コンテンツを記録する映像／音声記録システム、映像／音声記録装置及び映像／音声記録方法に関し、特に著作権保護のための各種制限が課せられているコンテンツを記録する映像／音声記録システム、映像／音声記録装置及び映像／音声記録方法に関する。また、本発明は、映像／音声記録システムのコンテンツ管理サーバ、受信装置、レコーダ、及び映像音声コンテンツを管理するための映像／音声管理プログラムに関する。
【背景技術】
【０００２】
地上波ディジタル放送や衛星（ＢＳ）ディジタル放送、ストリーミング放送等において、ディジタル映像や音声を含む映像音声コンテンツ（例えば、放送番組）が流通し、コンテンツの多彩な利用方法が提案されている。一方、コンテンツの取り扱いに関して、コンテンツの著作権を保護する目的のために各種制限が課せられている。【０００３】
非特許文献１には、地上波ディジタル放送及びＢＳディジタル放送において、著作権保護のために、１回だけ録画可能である旨のコピーワンス信号を付加してコンテンツを放送するコピーワンス放送が行われていることが記載されている。【０００４】
図２０は、地上波ディジタル放送やＢＳディジタル放送で行われているコピーワンス放送の例を示す説明図である。コピーワンス放送を行う場合、図２０に示すように、放送局９３０は、映像音声コンテンツにコピーワンス信号を付加して放送する。コピーワンス信号が付加されている場合、放送されたコンテンツを１回に限り録画（記録）することができるが、１度記録したコンテンツを更に他の記録手段／媒体にコピーすることはできない。図２０に示す例では、受信／記録手段（例えば、チューナ内蔵レコーダ）９１０，９２０は、放送局９３０が放送するコンテンツを受信し１回に限り記録できる。しかし、受信／記録手段９１０，９２０は、記録したコンテンツを更に他の記録手段／媒体にコピーすることはできない。【０００５】
図２０において、受信／記録手段９１０，９２０は、例えば、コピーワンス放送対応型のハードディスクレコーダ（ＨＤＤレコーダ）やＤＶＤレコーダである。受信／記録手段９１０，９２０は、コンテンツを受信すると、コンテンツにコピーワンス信号が付加されているか否かを判断する。そして、コピーワンス信号が付加されている場合、受信／記録手段９１０，９２０がコンテンツを更に他の記録手段／媒体にコピーしないように制御することによって、コピーワンス放送が実現される。【０００６】
なお、コピーワンス信号を付加されたコンテンツであっても、他の記録媒体（ＤＶＤ±Ｒ，ＲＷに代表される光ディスク媒体やハードディスクに代表される磁気記録媒体）や記録手段／媒体を備えた機器（ＨＤＤレコーダやＤＶＤレコーダ、パーソナルコンピュータ、ＰＤＡ、携帯電話機等）９４０にムーブ（移動）することはできる。この場合、受信／記録手段９１０，９２０は、図２０に示すように、コンテンツを記録媒体９４０に記録させた後に自らが記録するコンテンツを消去することによって、コンテンツをムーブする。【０００７】
【非特許文献１】（特集）地上／ＢＳデジタルのコピーワンスについて  ９社のレコーダのコピーワンス対応状況一覧、［online］、株式会社インプレス、［平成１６年１０月１８日検索］、インターネット＜URL : http://www.watch.impress.co.jp/av/docs/20040412/copy1.htm＞
【発明の開示】
【発明が解決しようとする課題】
【０００８】
しかし、非特許文献１に記載されたコピーワンス放送が行われる場合、ユーザが個人的に利用するため私的コピーをしたい場合であっても、コンテンツのコピーを制限されてしまう。この場合、ユーザは、同一コンテンツを様々な環境で利用するために、複数の記録装置（ＤＶＤレコーダやビデオレコーダ、パーソナルコンピュータ等）を用意して、同一コンテンツを複数コピーしなければならない。【０００９】
例えば、コンテンツをＨＤＤレコーダと光ディスク媒体とに保持したい場合、図２０に示すように、２つの受信／記録手段（本例では、ＨＤＤレコーダ）９１０，９２０を用意し、同一コンテンツを受信／記録手段９１０及び受信／記録手段９２０でそれぞれ受信して記録しなければならない。そして、一方の受信／記録手段９１０に記録したコンテンツを光ディスク媒体にムーブしなければならない。そのため、同一コンテンツをコピーするために複数の記録手段が必要となり、無駄な記録領域を使用してしまうことになる。【００１０】
また、記録手段が１つしかなくても、受信手段が複数あれば、同一コンテンツを複数記録することができる。例えば、チューナを複数内蔵する記録装置（例えば、ダブルチューナＨＤＤレコーダ）を用いて、１つの記録装置に同一コンテンツを複数記録することも考えられる。しかし、１つの記録装置に同一コンテンツを複数記録することになるので、同一コンテンツをコピーするために無駄な記録領域を使用してしまうことになる。【００１１】
そこで、本発明は、著作権保護のためにコンテンツにコピー制限が課せられている場合であっても、記録領域を有効に利用してコンテンツを記録できる映像／音声記録システム、コンテンツ管理サーバ、映像／音声記録装置、受信装置、レコーダ、映像／音声記録方法及び映像／音声管理プログラムを提供することを目的とする。
【課題を解決するための手段】
【００１２】
本発明による映像／音声記録システムは、映像と音声のいずれか、または、両方を含みコピー制限を課せられた（例えば、コピーワンス信号を付加された）コンテンツを記録する映像／音声記録システムであって、コンテンツを受信する複数のコンテンツ受信手段（例えば、チューナ１３，２３によって実現される）と、同一のコンテンツの複数記録が指示されると、コンテンツの記録数と同数のコンテンツ受信手段を確保する受信数確保手段（例えば、録画管理部１２２によって実現される）と、コンテンツを記録するコンテンツ記録手段（例えば、レコーダ１４によって実現される）と、コンテンツ記録手段が記録するコンテンツの保有数を示すコンテンツ保有数情報（例えば、コンテンツ保有数情報１２ａ）を記憶する保有数記憶手段（例えば、保有数記憶手段１２１によって実現される）と、保有数記憶手段が記録するコンテンツ保有数情報にもとづいて、コンテンツ記録手段が記録するコンテンツの保有数を管理する保有数管理手段（例えば、保有数記憶手段１２１によって実現される）とを備え、コンテンツ記録手段は、受信数確保手段が確保したコンテンツ受信手段のうちのいずれか１つのコンテンツ受信手段が受信したコンテンツを記録し、保有数記憶手段は、受信数確保手段が確保したコンテンツ受信手段の数をコンテンツの保有数として含むコンテンツ保有数情報を記憶することを特徴とする。【００１３】
また、映像／音声記録システムは、コンテンツ記録手段が記録するコンテンツを外部の記録手段／媒体にコピーするコンテンツコピー手段（例えば、受信／記録装置１０の制御部及び入出力部によって実現される）を備え、保有数管理手段は、コンテンツコピー手段がコンテンツを外部の記録手段にコピーすると、保有数記憶手段が記憶するコンテンツ保有数情報に示される保有数を、外部の記録手段にコピーしたコンテンツの数だけ減算するものであってもよい。そのような構成によれば、実際にはコンテンツを１つだけ記録している状態に変わりはないが、コンテンツ保有数情報を更新することによって、恰も複数保持しているコンテンツのうちの１つを他の記録手段にムーブしたものとして扱うことができる。【００１４】
また、映像／音声記録システムは、コンテンツ受信手段を利用する権利である受信手段利用権（例えば、チューナ利用権）を設定する利用権設定手段（例えば、チューナ制御部１１，２１によって実現される）を備え、受信数確保手段は、同一のコンテンツの複数記録が指示されると、コンテンツの記録数と同数のコンテンツ受信手段に対する受信手段利用権を利用権設定手段に設定させることによって、コンテンツ受信手段を確保するものであってもよい。そのような構成によれば、利用権を設定することによって、コンテンツの記録に用いるコンテンツ受信手段を容易に確保することができる。【００１５】
また、映像／音声記録システムは、コンテンツ受信手段の利用予約状況を示す利用予約情報（例えば、利用予約情報１１ａ，２１ａ）を記憶する利用予約情報記憶手段（例えば、チューナ制御部１１，２１によって実現される）を備え、利用権設定手段は、コンテンツ受信手段の利用予約の要求に応じて、利用予約情報記憶手段が記憶する利用予約情報に新たな利用予約内容を追加することによって、受信手段利用権を設定するものであってもよい。そのような構成によれば、受信手段の利用予約を行うことによって、容易に受信手段の利用権を設定することができる。【００１６】
また、利用予約情報記憶手段は、利用予約情報として、コンテンツ受信手段を利用する利用日時（例えば、録画日時）と、コンテンツ受信手段を利用する主体である利用主体（例えば、利用ユーザ）とを対応付けて記憶し、利用権設定手段は、利用予約情報にもとづいて、利用主体以外によるコンテンツ受信手段の利用要求を利用日時に受け付けないように制御することによって、利用主体の受信手段利用権を確保するものであってもよい。そのような構成によれば、利用日時に利用主体以外による受信手段の利用を禁止することができ、受信手段利用権を確保することができる。【００１７】
また、受信数確保手段は、同一のコンテンツの複数記録が指示されると、利用権設定手段によって受信手段利用権を設定されていないコンテンツ受信手段を特定し、指示された記録数（例えば、希望録画数Ｎ）が特定したコンテンツ受信手段の数以下であるか否かを判断し、指示された記録数が特定したコンテンツ受信手段の数以下であると判断すると、指示された記録数と同数のコンテンツ受信手段を確保し、指示された記録数が特定したコンテンツ受信手段の数より大きいと判断すると、所定の条件に従って確保すべきコンテンツ受信手段の数を決定し、決定した数のコンテンツ受信手段を確保するものであってもよい。そのような構成によれば、ユーザによって指定されたコンテンツの記録数の希望値が利用可能な受信手段の数より多い場合、コンテンツの記録数を調整することができる。【００１８】
また、受信数確保手段は、指示された記録数が特定したコンテンツ受信手段の数より大きいと判断すると、特定したコンテンツ受信手段を確保するものであってもよい。そのような構成によれば、ユーザによって指定されたコンテンツの記録数の希望値が利用可能な受信手段の数より多い場合であっても、コンテンツの記録数を自動設定することができる。【００１９】
また、受信数確保手段は、指示された記録数が特定したコンテンツ受信手段の数より大きいと判断すると、所定の優先条件に従って指示内容を優先するか否かを判断し、指示内容を優先すると判断すると、既に受信手段利用権を設定されているコンテンツ受信手段に対する受信手段利用権の設定を利用権設定手段に変更させることによって、指示された記録数と同数のコンテンツ受信手段を確保するものであってもよい。そのような構成によれば、コンテンツ等に応じてコンテンツの記録を優先予約することができる。【００２０】
また、映像／音声記録システムは、映像と音声のいずれか、または、両方を含みコピー制限を課せられたコンテンツを記録する映像／音声記録システムであって、コンテンツを受信する複数のコンテンツ受信手段と、コンテンツを記録するコンテンツ記録手段と、コンテンツ記録手段が記録するコンテンツを管理するコンテンツ管理サーバ（例えば、管理サーバ５０によって実現される）とを備え、コンテンツ管理サーバは、同一のコンテンツの複数記録が指示されると、コンテンツの記録数と同数のコンテンツ受信手段を確保する受信数確保手段と、コンテンツ記録手段が記録するコンテンツの保有数を示すコンテンツ保有数情報を記憶する保有数記憶手段と、保有数記憶手段が記憶するコンテンツ保有数情報にもとづいて、コンテンツ記録手段が記録するコンテンツの保有数を管理する保有数管理手段とを含み、コンテンツ記録手段は、受信数確保手段が確保したコンテンツ受信手段のうちのいずれか１つのコンテンツ受信手段が受信したコンテンツを記録し、保有数記憶手段は、受信数確保手段が確保したコンテンツ受信手段の数をコンテンツの保有数として含むコンテンツ保有数情報を記憶するものであってもよい。そのような構成によれば、コンテンツの記録や保有数の管理をサーバを用いて一括管理することができるとともに、記録領域を有効に利用してコンテンツを記録できる。【００２１】
なお、本明細書において「コンテンツを管理する」とは、例えば、保有数情報を変更することによって、実際にはコンテンツを１つだけ記録しているが、恰も保有するコンテンツの１つを他の記録手段にムーブしたものとして扱うこと等をいう。【００２２】
また、コンテンツ管理サーバは、コンテンツ受信手段を利用する権利である受信手段利用権を設定する利用権設定手段（例えば、チューナ制御部１５によって実現される）を備え、受信数確保手段は、同一のコンテンツの複数記録が指示されると、コンテンツの記録数と同数のコンテンツ受信手段に対応する受信手段利用権を利用権設定手段に設定させることによって、コンテンツ受信手段を確保するものであってもよい。そのような構成によれば、各コンテンツ受信手段の利用権をサーバが一括して管理するので、各コンテンツ受信手段の利用が偏らないように制御することができ、各コンテンツ受信手段を効率的に利用することができる。【００２３】
本発明による映像／音声記録装置は、映像と音声のいずれか、または、両方を含みコピー制限を課せられたコンテンツを受信する複数のコンテンツ受信手段を含むシステムにおける、コンテンツを記録する映像／音声記録装置であって、同一のコンテンツの複数記録が指示されると、コンテンツの記録数と同数のコンテンツ受信手段を確保する受信数確保手段と、コンテンツを記録するコンテンツ記録手段と、コンテンツ記録手段が記録するコンテンツの保有数を示すコンテンツ保有数情報を記憶する保有数記憶手段と、保有数記憶手段が記憶するコンテンツ保有数情報にもとづいて、コンテンツ記録手段が記録するコンテンツの保有数を管理する保有数管理手段とを備え、コンテンツ記録手段は、受信数確保手段が確保したコンテンツ受信手段のうちのいずれか１つのコンテンツ受信手段が受信したコンテンツを記録し、保有数記憶手段は、受信数確保手段が確保したコンテンツ受信手段の数をコンテンツの保有数として含むコンテンツ保有数情報を記憶することを特徴とする。【００２４】
本発明による受信装置は、映像と音声のいずれか、または、両方を含みコピー制限を課せられたコンテンツを記録する映像／音声記録システムにおける、コンテンツを受信する受信装置であって、コンテンツを受信するコンテンツ受信手段と、コンテンツ受信手段を利用する権利である受信手段利用権を設定する利用権設定手段とを備えたことを特徴とする。そのような構成によれば、利用権を設定することによって、映像／音声記録システムがコンテンツの記録に用いるコンテンツ受信手段を容易に確保することができる。【００２５】
また、受信装置は、コンテンツ受信手段の利用予約状況を示す利用予約情報を記憶する利用予約情報記憶手段を備え、利用予約情報記憶手段は、利用予約情報として、コンテンツ受信手段を利用する利用日時と、コンテンツ受信手段を利用する主体である利用主体とを対応付けて記憶し、利用権設定手段は、利用予約情報にもとづいて、利用主体以外によるコンテンツ受信手段の利用要求を利用日時に受け付けないように制御することによって、利用主体の受信手段利用権を確保するものであってもよい。そのような構成によれば、利用日時に利用主体以外による受信手段の利用を禁止することができ、受信手段利用権を確保することができる。【００２６】
本発明による映像／音声記録方法は、映像と音声のいずれか、または、両方を含みコピー制限を課せられたコンテンツを受信する複数のコンテンツ受信手段を備えたシステムにおける、コンテンツを記録する映像／音声記録方法であって、同一のコンテンツの複数記録が指示されると、コンテンツの記録数と同数のコンテンツ受信手段を確保するステップと、確保したコンテンツ受信手段のうちのいずれか１つのコンテンツ受信手段が受信したコンテンツを記録するステップと、確保したコンテンツ受信手段の数をコンテンツの保有数として含むコンテンツ保有数情報を記憶するステップと、記憶したコンテンツ保有数情報にもとづいて、記録したコンテンツの保有数を管理するステップとを含むことを特徴とする。【００２７】
また、映像／音声記録方法は、同一のコンテンツの複数記録が指示されると、コンテンツの記録数と同数のコンテンツ受信手段に対応する、コンテンツ受信手段を利用する権利である受信手段利用権を設定することによって、コンテンツ受信手段を確保するものであってもよい。そのような構成によれば、利用権を設定することによって、コンテンツの記録に用いるコンテンツ受信手段を容易に確保することができる。【００２８】
本発明による映像／音声管理プログラムは、映像と音声のいずれか、または、両方を含みコピー制限を課せられたコンテンツを受信する複数のコンテンツ受信手段と、コンテンツを記録する記録手段とを備えた記録するシステムにおける、記録するコンテンツを管理するための映像／音声管理プログラムであって、コンピュータに、同一のコンテンツの複数記録が指示されると、コンテンツの記録数と同数のコンテンツ受信手段を確保する処理と、確保したコンテンツ受信手段のうちのいずれか１つのコンテンツ受信手段が受信したコンテンツを、記録手段に記録させる処理と、確保したコンテンツ受信手段の数をコンテンツの保有数として含むコンテンツ保有数情報を記憶する処理と、記憶したコンテンツ保有数情報にもとづいて、記録手段に記録させたコンテンツの保有数を管理する処理とを実行させることを特徴とする。
【発明の効果】
【００２９】
本発明によれば、同一のコンテンツの複数記録が指示されると、コンテンツの記録数と同数のコンテンツ受信手段を確保する。また、確保したコンテンツ受信手段のうちのいずれか１つのコンテンツ受信手段が受信したコンテンツを記録する。そして、確保したコンテンツ受信手段の数をコンテンツの保有数として含むコンテンツ保有数情報を記憶する。そのため、実際にはコンテンツを１つだけ記録しているが、同一コンテンツを恰も複数保有しているものとして扱うことができる。従って、著作権保護のためにコンテンツにコピー制限が課せられている場合であっても、記録領域を有効に利用してコンテンツを記録できる。
【図面の簡単な説明】
【００３０】
【図１】本発明による映像／音声記録システムの適用概念の一例を示す説明図である。
【図２】映像音声コンテンツをストリーミングする場合の映像／音声記録システムの適用概念を示す説明図である。
【図３】映像／音声記録システムの基本構成を示すブロック図である。
【図４】映像／音声記録システムの構成の一例を示すブロック図である。
【図５】チューナ制御部１１，２１が記憶する利用予約情報１１ａ，２１ａの例を示す説明図である。
【図６】保有数記憶手段１２１が記憶するコンテンツ保有数情報１２ａの例を示す説明図である。
【図７】図４に示す映像／音声記録システムの具体的な構成の一例を示すブロック図である。
【図８】コピーワンス信号を付加されたコンテンツを複数録画する録画処理の一例を示す流れ図である。
【図９】受信／記録装置１０が表示する録画予約の入力画面の例を示す説明図である。
【図１０】受信装置２０が表示する利用予約の変更可否の入力画面の例を示す説明図である。
【図１１】コンテンツ録画の優先予約の入力画面の例を示す説明図である。
【図１２】各チューナ１３，２３の予約状況を示す予約画面情報の例を示す説明図である。
【図１３】コンテンツ録画の優先予約の入力画面の他の例を示す説明図である。
【図１４】録画予約されたコンテンツを録画する場合の情報の流れを示す説明図である。
【図１５】図４に示す映像／音声記録システムの他の具体的な構成例を示すブロック図である。
【図１６】ネットワークを介した映像／音声記録システムの具体的な構成の一例を示すブロック図である。
【図１７】映像／音声記録システムの他の構成例を示すブロック図である。
【図１８】コンテンツ録画の優先予約の入力画面の更に他の例を示す説明図である。
【図１９】録画予約の設定を変更するための録画予約情報画面の例を示す説明図である。
【図２０】地上波ディジタル放送やＢＳディジタル放送で行われているコピーワンス放送の例を示す説明図である。
【符号の説明】
【００３１】
１０  受信／記録装置
１１，２１  チューナ制御部
１１ａ，２１ａ  利用予約情報
１２  コンテンツ／録画管理部
１２ａ  コンテンツ保有数情報
１２ｂ  録画スケジュール
１３，２３  チューナ
１４  レコーダ
２０  受信装置
３０  放送局
４０  記録手段／媒体
１２１  保有数記憶手段
１２２  録画管理部
１４１  記録媒体
【発明を実施するための最良の形態】
【００３２】
実施の形態１．
以下、本発明の第１の実施の形態を図面を参照して説明する。まず、本発明による映像／音声記録システムの適用概念を説明する。図１は、映像／音声記録システムの適用概念の一例を示す説明図である。本実施の形態では、放送局３０は、地上波ディジタル放送やＢＳディジタル放送等のディジタル映像や音声を含む映像音声コンテンツ（例えば、放送番組。以下、単にコンテンツという）を放送する。また、放送局３０は、コンテンツを１回だけ録画可能である旨のコピーワンス信号を付加してコンテンツを放送するコピーワンス放送を行う。【００３３】
なお、図１は放送波による放送をイメージして記載されているが、放送局３０が映像音声コンテンツを保持したストリーミングサーバであり、インターネットなどの通信手段を介して受信／記録装置に対して映像音声コンテンツをストリーミングするような構成であってももちろんよい。図２は、映像音声コンテンツをストリーミングする場合の映像／音声記録システムの適用概念を示す説明図である。図２に示すように、ストリーミングを行う場合、ストリーミングサーバは、インターネット等のネットワーク及びストリーミング用セットトップボックスを介して、コンテンツをレコーダやモニタに送信する。【００３４】
映像／音声記録システムは、少なくとも１つの記録手段と、少なくとも２つの受信手段とを含む。例えば、映像／音声記録システムは、チューナ内蔵レコーダ等の受信／記録装置１０と、チューナ内蔵テレビジョン受信機等の受信装置２０とを含む。すなわち、映像／音声記録システムは、受信／記録装置１０のレコーダ（記録部）を記録手段として含み、受信／記録装置１０及び受信装置２０がそれぞれ内蔵するチューナを受信手段として含む。【００３５】
同一のコンテンツを複数録画する場合、受信／記録装置１０は、録画日時に利用可能な受信手段（チューナなど）を全て特定する。そして、受信／記録装置１０は、特定した受信手段について、受信手段を利用する権利である利用権（以下、受信手段利用権またはチューナ利用権ともいう）を確保する。例えば、利用可能な受信手段として受信／記録装置１０及び受信装置２０の受信手段を特定したとすると、受信／記録装置１０は、受信／記録装置１０及び受信装置２０の受信手段利用権を確保する。【００３６】
本実施の形態では、確保した受信手段利用権の数によって、コピーワンス信号を付加された同一コンテンツを保有できる数が定まる。例えば、２つの受信手段の受信手段利用権を確保した場合、映像／音声記録システムは、コンテンツを記録すると、記録したコンテンツを２つ保有しているものとして扱う。【００３７】
受信／記録装置１０は、受信手段利用権を確保したいずれかの受信手段を用いて、放送局３０から受信するコンテンツを録画する。例えば、受信／記録装置１０は、自らが内蔵する受信手段を用いてコンテンツを受信し録画（記録）する。すなわち、受信／記録装置１０は、同一のコンテンツを複数（本例では、２つ）録画するように指示された場合であっても、一方の受信手段を用いてコンテンツを１つだけ録画する。なお、映像／音声記録システムは、コンテンツの録画中、受信手段利用権を確保した受信手段のうち、録画に用いている受信手段以外の受信手段（本例では、受信装置２０が内蔵するチューナ）を利用不可となるよう制御する。【００３８】
コンテンツを録画すると、受信／記録装置１０は、録画したコンテンツを管理するためのコンテンツ保有数情報を記録する。本実施の形態では、受信／記録装置１０は、録画したコンテンツの保有数に関する保有数情報を保有数記憶手段で記憶管理する。本例では、受信／記録装置１０は、コピー不可コンテンツを２個保持している旨のコンテンツ保有数情報を記録する。本実施の形態では、コンテンツ保有数情報を用いてコンテンツ管理を行うことによって、受信／記録装置１０は、実際にはコンテンツを１つだけ記録しているが、同一コンテンツを恰も２つ保有しているものとして扱う。【００３９】
例えば、受信／記録装置１０は、コンテンツを他の記録手段／媒体（ＤＶＤレコーダやＰＤＡ、携帯電話機、光ディスク媒体等）４０にムーブ（移動）する場合、コンテンツを記録手段／媒体４０に記録させた後、コンテンツ保有数情報を「コピー不可コンテンツを１個保持」に更新する。すなわち、受信／記録装置１０は、実際にはコンテンツを１つだけ記録している状態に変わりはないが、コンテンツ保有数情報を更新することによって、恰も２つ保持しているコンテンツのうちの１つを他の記録手段／媒体４０にムーブしたものとして扱う。【００４０】
次に、映像／音声記録システムの構成について説明する。なお、映像／音声記録システムは複数の記録手段と複数の受信手段とを含みうるが、本実施の形態では、最も基本的な構成として、映像／音声記録システムが１つの記録手段と２つの受信手段とを含む場合を説明する。また、記録手段と各受信手段とはそれぞれ別々の装置であってもよく、記録手段と全ての受信手段とが一体的に１つの装置で実現されてもよい。また、記録手段といずれか一方の受信手段とが一体的に１つの装置で実現されてもよい。【００４１】
図３は、映像／音声記録システムの基本構成を示すブロック図である。図３に示すように、映像／音声記録システムは、コンテンツを受信する複数（本例では、２つ）のコンテンツ受信手段、及びコンテンツを記録するコンテンツ記録手段を含む。また、映像／音声記録システムは、同一コンテンツの複数記録が指示されると、コンテンツの記録数と同数のコンテンツ受信手段を確保する受信数確保手段を含む。また、映像／音声記録システムは、コンテンツ記録手段が記録するコンテンツの保有数を示すコンテンツ保有数情報を記憶する保有数記憶手段を含む。また、映像／音声記録システムは、保有数記憶手段が記憶するコンテンツ保有数情報にもとづいて、コンテンツ記録手段が記録するコンテンツの保有数を管理する保有数管理手段を含む。【００４２】
本実施の形態では、映像／音声記録システムのコンテンツ記録手段は、受信数確保手段が確保したコンテンツ受信手段のうちのいずれか１つのコンテンツ受信手段が受信したコンテンツを記録する。そして、保有数記憶手段は、受信数確保手段が確保したコンテンツ受信手段の数をコンテンツの保有数として含むコンテンツ保有数情報を記憶する。【００４３】
また、映像／音声記録システムは、コンテンツ受信手段を利用する権利である受信手段利用権を設定する利用権設定手段、及びコンテンツ受信手段の利用予約状況を示す利用予約情報を記憶する利用予約情報記憶手段を含む。本実施の形態では、利用権設定手段は、コンテンツ受信手段の利用予約の要求に応じて、利用予約情報記憶手段が記憶する利用予約情報に新たな利用予約内容を追加することによって、受信手段利用権を設定する。【００４４】
図４は、映像／音声記録システムの構成の一例を示すブロック図である。図４に示すように、映像／音声記録システムは、２つのチューナ１３，２３と、２つのチューナ制御部１１，２１と、コンテンツ／録画管理部１２と、レコーダ１４とを含む。【００４５】
チューナ（受信手段）１３，２３は、具体的には、ＨＤＤレコーダやＤＶＤレコーダ、ビデオレコーダ、テレビジョン受信機等が搭載するチューナである。チューナ１３，２３は、放送局３０が放送するコピーワンス信号を付加されたコンテンツを受信する機能を備える。【００４６】
チューナ制御部１１，２１は、具体的には、テレビジョン受信機等の制御部によって実現される。また、記録手段と受信手段とが一体的に１つの装置で実現される場合には、チューナ制御部１１，２１は、チューナを搭載するＨＤＤレコーダやＤＶＤレコーダ、ビデオレコーダの制御部によって実現される。【００４７】
チューナ制御部１１，２１は、チューナ１３，２３に対するチューナ利用権を設定する機能を備える。本実施の形態では、チューナ制御部１１，２１は、図４に示すように、チューナ１３，２３の利用予約状況を示す情報である利用予約情報１１ａ，２１ａをメモリ等に記憶している。チューナ制御部１１，２１は、チューナ１３，２３の利用予約の要求に応じて、利用予約情報１１ａ，２１ａに新たな利用予約内容を追加することによって、チューナ利用権を設定する。【００４８】
チューナ制御部１１，２１は、利用予約情報１１ａ，２１ａにもとづいて、チューナ１３，２３の利用管理を行う機能を備える。例えば、チューナ制御部１１，２１は、チューナ１３，２３の利用を要求された場合、利用予約情報１１ａ，２１ａにもとづいて、利用要求された時間帯に既に利用予約されているか否かを判断する。そして、既に利用予約されている場合、チューナ制御部１１、２１は、他の利用要求を受け付けないように制御することによって、チューナ利用権を確保する。なお、例えば、優先予約の要求をされた場合等には、チューナ制御部１１，２１は、既に利用予約されている場合であっても、優先予約の要求を優先して受け付けるようにしてもよい。【００４９】
図５は、チューナ制御部１１，２１が記憶する利用予約情報１１ａ，２１ａの例を示す説明図である。また、図５（ａ）は、チューナ制御部１１が記憶する利用予約情報１１ａの例を示し、図５（ｂ）は、チューナ制御部２１が記憶する利用予約情報２１ａの例を示す。図５に示すように、チューナ制御部１１，２１は、利用予約情報１１ａ，２１ａとして、利用日、利用時間、予約手段（利用手段）、予約者（利用者）及び利用状態（例えば、「利用予約」）の情報を対応付けて記憶する。【００５０】
例えば、図５（ａ）に示す例では、１０月２２日の１５時３０分から１７時までについては、ユーザＣがＨＤＤレコーダを操作して既に利用予約（例えば、録画予約）していることが分かる。また、同じ装置を用いて異なるユーザが利用予約することもできる。例えば、図５（ｂ）に示す例では、１０月２１日についてユーザＢ（例えば、父）がチューナ２３を用いて既に利用予約しており、１０月２２日についてユーザＣ（例えば、娘）が同じチューナ２３を用いて既に利用予約していることが分かる。この場合、チューナ制御部１１，２１は、例えば、リモートコントローラに設けられたユーザボタンを押下することによって入力された予約者情報を含む利用予約情報１１ａ，２１ａを記憶している。【００５１】
また、例えば、チューナ１３，２１が現在利用中である場合、チューナ制御部１１，２１は、利用予約情報１１ａ，２１ａの利用状態を「利用中」と記憶してもよい。例えば、図５（ｂ）に示すように、チューナ２３をユーザＤが現在利用中である場合、チューナ制御部２１は、利用状態「利用中」を含む利用予約情報２１ａを記憶している。【００５２】
図５（ａ）に示す例では、チューナ１３は、１０月２１日の１３時から１３時３０分までは、ユーザＡによってチューナ１３を用いて既に利用予約されていることが分かる。また、チューナ１３は、１０月２２日の１５時３０分から１７時００分までは、ユーザＣによって記録手段（例えば、ＨＤＤレコーダ）を用いて既に利用予約されていることが分かる。また、図５に示す例では、１０月２１日の１３時１５分から１３時３０分までは、いずれのチューナ１３，２３も既に利用予約されており、利用不可であることが分かる。また、１０月２１日の１３時から１３時１５分まで、１０月２２日の１５時３０分から１７時まで、及び１０月２３日の１６時３０分から１７時までは、一方のチューナのみが利用可能であることが分かる。【００５３】
チューナ制御部１１，２１は、チューナ１３，２３を用いるユーザ（以下、チューナユーザともいう）の入力指示に従って、利用予約情報１１ａ，２１ａに利用予約内容の情報を登録したり変更したりする機能を備える。また、チューナ制御部１１，２１は、記録手段のユーザから利用要求された場合、後述する録画管理部１２２の指示に従って、利用予約情報１１ａ，２１ａに利用予約内容の情報を登録したり変更したりする機能を備える。本実施の形態では、チューナ制御部１１，２１は、チューナ１３，２３の利用日時や利用ユーザ名等の情報を利用予約情報１１ａ，２１ａに登録する。【００５４】
チューナ制御部１１，２１は、チューナユーザの入力指示に従って、放送局３０から放送されるコンテンツをチューナ１３，２３に受信させる機能を備える。また、予約録画の場合、チューナ制御部１１，２１は、録画管理部１２２からの指示に従って、放送局３０から放送されるコンテンツをチューナ１３，２３に受信させる機能を備える。また、チューナ制御部１１，２１は、録画管理部１２２からの要求に応じて、利用予約情報１１ａ，２１ａを録画管理部１２２に出力又は送信する機能を備える。【００５５】
コンテンツ／録画管理部１２は、具体的には、ＨＤＤレコーダやＤＶＤレコーダ、ビデオレコーダの制御部である。コンテンツ／録画管理部１２は、コンテンツを管理する保有数記憶手段１２１と、録画を制御したり録画の予約スケジュールを管理する録画管理部１２２とを含む。【００５６】
保有数記憶手段１２１は、記録手段が記録するコンテンツの保有数を示すコンテンツ保有数情報を記録する機能を備える。また、保有数記憶手段１２１は、コンテンツ保有数情報にもとづいて、記録手段が記録するコンテンツの保有数を管理する機能を備える。【００５７】
本実施の形態では、保有数記憶手段１２１は、図４に示すように、コンテンツ保有数情報１２ａをメモリ等に記憶している。そして、保有数記憶手段１２１は、コンテンツ保有数情報１２ａにもとづいて、記録手段に記録するコンテンツを管理する。本実施の形態では、保有数記憶手段１２１は、コンテンツ保有数情報１２ａにもとづいて、レコーダ１４に実際には１つだけ記録するコンテンツを恰も複数保有しているものとして扱う。また、保有数記憶手段１２１は、録画管理部１２２の指示に従ってコンテンツ保有数情報１２ａを更新する機能を備える。【００５８】
図６は、保有数記憶手段１２１が記憶するコンテンツ保有数情報１２ａの例を示す説明図である。図６に示すように、保有数記憶手段１２１は、コンテンツ保有数情報１２ａとして、コンテンツＩＤと、コンテンツ名と、コンテンツ個数とを対応付けて記憶する。図６に示す例では、例えば、記録手段がコンテンツＩＤ「ＩＤ０」のコンテンツを実際には１つだけ記録しているが、保有数記憶手段１２１は、コンテンツＩＤ「ＩＤ０」のコンテンツを２つ保有しているものとして扱うことを示している。【００５９】
録画管理部１２２は、記録手段を用いるユーザ（例えば、ＨＤＤレコーダやＤＶＤレコーダ、ビデオレコーダのユーザ、もしくはレコーダ自体。以下、レコーダユーザともいう）の録画予約の指示に従って、チューナ１３，２３が受信するコンテンツをレコーダ１４に記録させる機能を備える。【００６０】
また、録画管理部１２２は、レコーダユーザによって同一のコンテンツの複数録画を指示されると、コンテンツ数と同数のチューナ１３，２３を確保する機能を備える。本実施の形態では、録画管理部１２２は、コンテンツ数と同数のチューナ１３，２３のチューナ利用権を確保する。また、録画管理部１２２は、確保したチューナ１３，２３のうちのいずれか１つのチューナが受信したコンテンツをレコーダ１４に録画させる。すなわち、録画管理部１２２は、録画指示されたコンテンツをレコーダ１４に１つだけ記録させる。この場合、録画管理部１２２は、コンテンツの録画数に応じて、保有数記憶手段１２１にコンテンツ保有数情報１２ａを更新させる。本実施の形態では、録画管理部１２２は、確保したチューナ１３，２３の数をコンテンツの録画数（保有数）として含む情報を、コンテンツ保有数情報１２ａとして記録する。【００６１】
本実施の形態では、録画管理部１２２は、同一のコンテンツの複数録画を指示された場合、各チューナ１３，２３が録画日時に利用可能か否かを判断する。この場合、録画管理部１２２は、各チューナ制御部１１，２１に利用予約情報１１ａ，２１ａを要求する。そして、録画管理部１２２は、各チューナ制御部１１，２１から入力又は受信した利用予約情報１１ａ，２１ａにもとづいて、各チューナ１３，２３が録画日時に利用可能か否かを判断する。すなわち、録画管理部１２２は、各チューナ１３，２３がチューナ制御部１１，２１によって録画日時に既にチューナ利用権を設定されているか否かを判断する。【００６２】
また、録画管理部１２２は、録画日時に利用可能なチューナ１３，２３の数を求める。また、録画管理部１２２は、利用可能なチューナの数がユーザによって指定された希望録画数に満たない場合には、コンテンツの録画数を調整する機能を備える。例えば、録画管理部１２２は、チューナ制御部１１，２１によって録画日時にチューナ利用権を設定されていないチューナ１３，２３を特定し、ユーザによって指定された希望録画数が特定したチューナ１３，２３の数以下であるか否かを判断する。希望録画数が特定したチューナ１３，２３の数より大きいと判断すると、録画管理部１２２は、所定の条件に従ってコンテンツの録画数を調整する。【００６３】
また、録画管理部１２２は、録画予約の予定を示す録画スケジュール１２ｂをメモリ等に記憶している。例えば、録画管理部１２２は、録画日時、録画チャンネル、録画番組名録画数、利用するチューナを対応付けた録画スケジュール１２ｂを記憶している。録画管理部１２２は、録画スケジュール１２ｂにもとづいて、予約された録画日時に指定されたコンテンツを録画する機能を備える。【００６４】
なお、録画スケジュール１２ｂが含む情報は、本実施の形態で示したものに限られない。例えば、録画管理部１２２は、予約者を示す予約者情報を含む録画スケジュール１２ｂを記憶していてもよい。そして、録画管理部１２２は、ユーザの指示操作に従って、スケジュールとともに予約者を表示部に表示させてもよい。また、録画管理部１２２は、ユーザの指示操作に従って、利用予約情報１１ａ，２１ａをチューナ制御部１１，２１から入力し、利用予約情報１１ａ，２１ａに含まれる予約者情報にもとづいて予約者を表示させてもよい。【００６５】
レコーダ（記録手段）１４は、具体的には、ＨＤＤレコーダやＤＶＤレコーダ、ビデオレコーダの記録部である。また、レコーダ１４は、録画管理部１２２からの指示に従って、チューナ１３，２３が受信したコンテンツを、ハードディスクや光ディスク媒体、ビデオテープ等の記録媒体１４１に記録する機能を備える。【００６６】
図７は、図４に示す映像／音声記録システムの具体的な構成の一例を示すブロック図である。図７では、一例として、記録手段と一方の受信手段とが一体的に１つの装置で実現されている場合を示す。図７に示すように、映像／音声記録システムは、受信／記録装置１０と受信装置２０とを含む。また、受信／記録装置１０と受信装置２０とは、ＬＡＮやインターネット等の通信ネットワークを介して接続される。【００６７】
受信／記録装置１０は、具体的には、ＨＤＤレコーダや、ＤＶＤレコーダ、ビデオレコーダ等である。図７では、一例として、受信／記録装置１０がＨＤＤレコーダである場合を示す。図７に示すように、受信／記録装置１０は、チューナ制御部１１とコンテンツ／録画管理部１２とを含む。【００６８】
また、受信／記録装置１０は、チューナを備え、放送局３０が放送するコピーワンス信号を付加されたコンテンツを受信する機能を備える。また、受信／記録装置１０は、受信したコンテンツを記録する機能を備える。すなわち、本例では、受信／記録装置１０は、記録手段を備えるとともに、１つの受信手段を備える。【００６９】
受信装置２０は、具体的には、テレビジョン受信機等の装置である。図７に示すように、受信装置２０は、チューナ制御部２１を含む。受信装置２０は、チューナを備え、放送局３０が放送するコピーワンス信号を付加されたコンテンツを受信する機能を備える。すなわち、本例では、受信装置２０は、１つの受信手段を備える。また、受信装置２０は、受信したコンテンツにもとづいて、表示部に映像を表示するとともに音声を再生出力する機能を備える。【００７０】
次に、動作について説明する。なお、以下、図７に示すように、映像／音声記録システムが受信／記録装置１０と受信装置２０とを含む場合を説明する。映像／音声記録システムにおいて、チューナ制御部２１は、チューナユーザやレコーダユーザの利用予約の入力指示に従って、利用予約情報２１ａを随時更新している。また、チューナ制御部１１は、レコーダユーザの利用予約の入力指示に従って、利用予約情報１１ａを随時更新している。すなわち、チューナ制御部１１，２１は、チューナユーザやレコーダユーザの利用予約の要求指示に従って、随時チューナ利用権を設定したり変更したりしている。【００７１】
図８は、コピーワンス信号を付加されたコンテンツを複数録画する録画処理の一例を示す流れ図である。本実施の形態では、予めレコーダユーザの入力指示に従って録画予約を行い、予約内容に従って録画日時にコンテンツを複数録画する場合を説明する。なお、予約録画する場合に限らず、映像／音声記録システムは、レコーダユーザの入力指示に従って、現時刻からコンテンツを複数記録してもよい。【００７２】
レコーダユーザ（例えば、図７に示すＨＤＤレコーダのユーザ）は、コンテンツを録画させたい場合、受信／記録装置１０を操作して、コンテンツの録画日時や希望録画数等を入力指示する。受信／記録装置１０の録画管理部１２２は、レコーダユーザの入力指示に従って、コンテンツの録画日時及びコンテンツの希望録画数Ｎを入力する（ステップＳ１１）。なお、録画管理部１２２は、希望録画数Ｎとして、少なくとも映像／音声記録システムに含まれる受信手段の数（本例では、「２」）と同じか、受信手段の数より少ない値を入力する。【００７３】
ステップＳ１１において、例えば、録画管理部１２２は、受信／記録装置１０の表示部に、録画予約をするための入力画面を表示させる。図９は、受信／記録装置１０が表示する録画予約の入力画面の例を示す説明図である。ユーザは、図９に示す入力画面から、コンテンツ名や録画日時、希望録画数Ｎ、利用を希望するチューナを入力指示する。すると、録画管理部１２２は、コンテンツ名や録画日時、希望録画数Ｎ、利用希望チューナを入力する。【００７４】
なお、利用希望チューナについては、レコーダユーザが手動で選択できるようにしてもよく、録画管理部１２２が自動選択するようにしてもよい。利用希望チューナを自動選択する場合、例えば、予め各チューナ１３，２３に優先度を設定しておき、録画管理部１２２は、チューナの優先度に従って利用希望チューナを選択する。また、例えば、録画管理部１２２は、録画日時に利用可能なチューナを検索し検索順に利用希望チューナを選択してもよい。また、録画管理部１２２は、チューナの使用頻度を求め、求めた使用頻度に従って利用希望チューナを選択してもよい。【００７５】
また、レコーダユーザが手動で選択できるようにする場合、録画日時に利用可能なチューナの情報をレコーダユーザに提示するようにしてもよい。例えば、録画管理部１２２は、レコーダユーザの入力指示に従って録画日時を入力すると、録画日時に利用可能なチューナを検索し、検索結果にもとづいて、利用可能なチューナのチューナ制御部１１，２１から利用予約情報１１ａ，２１ａを入力する。そして、録画管理部１２２は、利用予約情報１１ａ，２１ａ及び録画スケジュール１２ｂにもとづいて、各チューナ１３，２３の利用予約情報及び録画のスケジュール（録画チャンネルや録画番組名等）を表示してもよい。この場合、レコーダユーザは、表示された利用予約情報にもとづいて利用希望チューナを選択し入力指示する。【００７６】
本実施の形態では、映像／音声記録システムが２つの受信手段（チューナ１３及びチューナ２３）を含むので、録画管理部１２２は、希望録画数Ｎとして「１」又は「２」を入力する。以下、本実施の形態では、録画管理部１２２が希望録画数Ｎとして「２」を入力した場合を説明する。【００７７】
録画日時及び希望録画数Ｎを入力すると、録画管理部１２２は、各チューナ制御部１１，２１から利用予約情報１１ａ，２１ａを取得し、取得した利用予約情報１１ａ，２１ａにもとづいて、録画日時に利用可能な（チューナ利用権を設定されていない）チューナ１３，２３を特定する。また、録画管理部１２２は、録画日時に利用可能なチューナ数を求める（ステップＳ１２）。例えば、録画管理部１２２は、受信／記録装置１０のチューナ制御部１１に利用予約情報１１ａを要求し、チューナ制御部１１から利用予約情報１１ａを入力する。また、録画管理部１２２は、通信ネットワークを介して受信装置２０に利用予約情報２１ａを要求し、通信ネットワークを介して受信装置２０のチューナ制御部２１から利用予約情報２１ａを受信する。【００７８】
録画管理部１２２は、取得した利用予約情報１１ａ，２１ａにもとづいて、録画日時にチューナ１３及びチューナ２３の両方が利用可能であるか否かを判断する。チューナ１３及びチューナ２３の両方が利用可能である場合、録画管理部１２２は、利用可能なチューナ数「２」と求める。また、チューナ１３及びチューナ２３のうちの一方が既に利用予約されている場合、録画管理部１２２は、利用可能なチューナ数「１」と求める。また、チューナ１３及びチューナ２３の両方が既に利用予約されている場合、録画管理部１２２は、利用可能なチューナ数「０」と求める。【００７９】
録画管理部１２２は、求めた利用可能なチューナ数が希望録画数Ｎ以上ある場合、希望録画数Ｎをコンテンツの録画数Ｍとして決定し、特定した利用可能なチューナを録画に用いるチューナとして決定する。例えば、チューナ１３及びチューナ２３の両方が利用可能である場合、録画管理部１２２は、希望録画数Ｎ「２」をそのまま録画数Ｍとして決定し、録画に用いるチューナを「チューナ１３」及び「チューナ２３」に決定する。【００８０】
また、録画管理部１２２は、求めた利用可能なチューナ数が希望録画数Ｎに満たない場合、コンテンツの録画数を調整する。そして、録画管理部１２２は、調整結果にもとづいて録画数Ｍ及び録画に用いるチューナを決定する（ステップＳ１３）。【００８１】
例えば、録画管理部１２２は、希望録画数Ｎにかかわらず、利用可能と判定したチューナ数を録画数Ｍとして決定する。例えば、希望録画数Ｎ「２」で利用可能なチューナ数「１」である場合、録画管理部１２２は、希望録画数Ｎ「２」にかかわらず録画数Ｍを「１」に決定する。この場合、チューナ２３だけが利用可能であるとすると、録画管理部１２２は、録画に用いるチューナとして「チューナ２３」を決定する。また、録画管理部１２２は、例えば、希望録画数Ｎにかかわらず、現在使用中のチューナを利用できないものとして、録画数Ｍ及び利用チューナを決定する。【００８２】
また、ステップＳ１３において、チューナ１３，２３を現在利用中（例えば、チューナユーザが現在コンテンツを視聴中）である場合、チューナユーザに録画日時を通知し、利用予約の変更を促すようにしてもよい。例えば、録画管理部１２２は、録画日時にチューナ２３が利用不可となっている受信装置２０に、利用予約の変更依頼を通信ネットワークを介して送信する。すると、受信装置２０のチューナ制御部２１は、利用予約の変更の可否の入力を促す入力画面を表示部に表示させる。【００８３】
図１０は、受信装置２０が表示する利用予約の変更可否の入力画面の例を示す説明図である。受信装置２０は、例えば、図１０に示すように、チューナ２３のユーザの操作に従って、放送局３０からコンテンツを受信し、コンテンツに含まれる映像８１を表示し音声を再生出力している。また、受信装置２０は、例えば、図１０に示すように、映像８１とともに、利用予約の変更可否の入力画面８２を表示部に表示する。【００８４】
チューナ２３のユーザは、利用予約の変更可否の入力画面８２を確認し、利用予約を変更してよいと判断すると「許可」ボタン８３を選択し入力指示する。すると、チューナ制御部２１は、ユーザの入力指示に従い、利用予約変更可能である旨の通知情報を、通信ネットワークを介して受信／記録装置１０に送信する。また、利用予約を変更不可と判断すると、チューナ２３のユーザは、「不許可」ボタン８４を選択し入力指示する。すると、チューナ制御部２１は、ユーザの入力指示に従い、利用予約変更不可である旨の通知情報を、通信ネットワークを介して受信／記録装置１０に送信する。【００８５】
録画管理部１２２は、受信した通知情報にもとづいて、録画数Ｍ及び利用するチューナ（以下、利用チューナともいう）を決定する。例えば、録画日時に既にチューナ２３だけ利用予約されているが、受信装置２０から利用予約変更可の通知情報を受信した場合、録画管理部１２２は、既にチューナ２３の利用予約がされている場合であっても、録画数Ｍを「２」と決定し、利用チューナとして「チューナ１３」及び「チューナ２３」を決定する。また、受信装置２０から利用予約不可の通知情報を受信した場合、録画管理部１２２は、録画数Ｍを「１」と決定し、利用チューナとして「チューナ１３」だけを決定する。【００８６】
また、ステップＳ１３において、録画管理部１２２は、所定の優先条件に従ってレコーダユーザの予約指示を優先するか否かを判断し、優先予約するようにしてもよい。例えば、既に利用予約されているチューナがある場合、録画管理部１２２は、コンテンツの録画を優先予約するか否かの入力画面を、受信／記録装置１０の表示部に表示させる。【００８７】
図１１は、コンテンツ録画の優先予約の入力画面の例を示す説明図である。図１１では、指定した２つのチューナ１３，２３のうちの一方が、既に利用予約されている場合の優先予約の入力画面の例を示す。図１１に示すように、録画管理部１２２は、録画日時に既に利用希望チューナが利用予約されている旨や、利用予約されている番組名、チャンネル、予約者等を表示させる。なお、録画管理部１２２は、チューナを現在利用中であるか否か等の情報を含む入力画面を表示させてもよい。【００８８】
レコーダユーザは、チューナの利用予約状況を確認し、自分が希望するコンテンツの録画を優先予約したいと判断すると、図１１に示す入力画面から「優先予約」ボタン９１を選択し入力指示する。すると、録画管理部１２２は、既にチューナの利用予約がされている場合であっても、レコーダユーザが指示する録画予約を優先し、希望録画数Ｎをそのまま録画数Ｍとして決定し利用チューナを決定する。また、レコーダユーザは、自分の希望するコンテンツの録画予約を取り消す場合、図１１に示す入力画面から「取消」ボタン９２を選択し入力指示する。すると、録画管理部１２２は、録画予約を取り消し処理を終了する。【００８９】
また、レコーダユーザは、録画に用いるチューナを変更する場合、チューナ変更ボタン９３を選択しチューナの変更を指示する。すると、録画管理部１２２は、レコーダユーザの入力指示に従って利用希望チューナを変更する。この場合、例えば、ユーザが入力画面から「全チューナ情報」ボタン９４を選択すると、録画管理部１２２は、映像／音声記録システムに含まれる全てのチューナの利用予約情報を表示する。また、例えば、録画管理部１２２は、利用可能なチューナがある場合、利用可能なチューナ名を表示する。そして、ユーザが全チューナの利用予約情報を確認し空いているチューナへの変更を入力指示す
ると、録画管理部１２２は、利用希望チューナを変更する。例えば、録画管理部１２２が図１２に示す各チューナ１３，２３の予約状況を示す予約画面情報を表示部に表示させ、レコーダユーザは、表示された予約画面情報を確認し優先予約やチューナ変更を入力指示する。【００９０】
また、図１３は、コンテンツ録画の優先予約の入力画面の他の例を示す説明図である。図１３では、指定した２つのチューナ１３，２３の両方が、既に利用予約されている場合の優先予約の入力画面の例を示す。図１３に示すように、両方のチューナ１３，２３が既に利用予約されている場合、録画管理部１２２は、チューナ１３，２３それぞれついて、録画日時に既に利用希望チューナが利用予約されている旨や、利用予約されている番組名、チャンネル、予約者等を表示させる。そして、図１１に示す例と同様に、録画管理部１２２は、レコーダユーザの操作に従って、チューナ１３，２３それぞれについて、優先予約を行ったり、録画予約を取り消したり、利用希望チューナの変更を行う。【００９１】
また、録画管理部１２２は、所定の優先度を用いて優先予約してもよい。例えば、チューナユーザやコンテンツ、コンテンツの視聴頻度等にもとづいて録画番組（コンテンツ）の優先度を定め、録画管理部１２２は、優先度に従って優先予約するようにしてもよい。例えば、録画管理部１２２は、優先度が低い（この例では視聴頻度がある閾値以下である）場合に、チューナユーザがチューナを利用し続けている場合には録画を行わないが、録画日時にチューナユーザがチューナを利用していない場合には録画を行うようにしたり、優先度が高い（この例では視聴頻度がある閾値以上である）場合に、チューナユーザがチューナを利用し続けている場合に、チューナユーザ向けの警告を提示するための制御を行うようにしてもよい。【００９２】
録画数Ｍ及び利用チューナを決定すると、録画管理部１２２は、録画スケジュール１２ｂを更新する。例えば、録画管理部１２２は、指定された録画日時や録画チャンネル、番組名、録画数Ｍ、利用するチューナの情報を録画スケジュール１２ｂに格納する。また、録画管理部１２２は、決定した利用チューナのチューナ制御部１１，２１に、利用予約情報１１ａ，２１ａの更新を指示する。チューナ制御部１１，２１は、録画管理部１２２からの指示に従い、利用予約情報１１ａ，２１ａを更新する（ステップＳ１４）。すなわち、録画管理部１２２は、チューナ制御部１１，２１にチューナ利用権を設定させ、予約録画に用いるチューナ１３，２３を確保する。【００９３】
例えば、録画管理部１２２は、録画日時やレコーダユーザ名を含む通知情報をチューナ制御部１１，２１に出力又は送信する。そして、チューナ制御部１１，２１は、入力又は受信した通知情報にもとづいて、利用日や利用時間、利用ユーザ名（本例では、レコーダユーザ）、利用状態を利用予約情報１１ａ，２１ａに格納する。なお、ステップＳ１３でチューナユーザによる利用予約変更やレコーダユーザによる優先予約がされた場合、録画管理部１２２は、利用予約変更や優先予約に伴う録画予約の録画日時や利用ユーザ名等にもとづいて、チューナ制御部１１，２１に利用予約情報１１ａ，２１ａを更新させる。【００９４】
以上のように、ステップＳ１１からステップＳ１４までの処理が実行されることによって、コピーワンス信号を付加されたコンテンツの複数録画の予約が行われる。【００９５】
録画管理部１２２は、録画スケジュール１２ｂにもとづいて、予約された録画日時になったか否かを判断する。録画日時であると判断すると、録画管理部１２２は、チューナ制御部１１，２１及びレコーダ１４に、指定されたコンテンツの録画開始を指示する（ステップＳ１５）。図１４は、録画予約されたコンテンツを録画する場合の情報（各種指示情報やコンテンツ）の流れを示す説明図である。【００９６】
録画日時になると、録画管理部１２２は、いずれか一方のチューナ制御部１１，２１にコンテンツの受信開始を指示する。本実施の形態では、録画管理部１２２がチューナ制御部１１にコンテンツの受信開始を指示する場合を説明する。チューナ制御部１１は、チューナ１３にコンテンツの受信を開始させる。また、チューナ１３は、受信したコンテンツをレコーダ１４に出力する。【００９７】
また、録画日時になると、録画管理部１２２は、レコーダ１４にコンテンツの記録開始を指示する。すると、レコーダ１４は、チューナ１３が出力するコンテンツの記録媒体１４１への記録（録画）を開始する。【００９８】
また、チューナ制御部２１は、コンテンツの録画中、チューナ２３を利用不可となるように制御する。例えば、チューナユーザが受信装置２０を操作したとしても、チューナ制御部２１は、コンテンツの録画中、利用予約情報２１ａにもとづいて、チューナユーザの入力指示を受け付けないように制御する。【００９９】
録画を終了しコンテンツを記録媒体１４１に記録すると、録画管理部１２２は、コンテンツ保有数情報１２ａを更新するように保有数記憶手段１２１に指示する。すると、保有数記憶手段１２１は、録画管理部１２２の指示に従って、コンテンツ保有数情報１２ａを更新する（ステップＳ１６）。例えば、保有数記憶手段１２１は、コピー不可コンテンツを２つ保持という情報を新たにコンテンツ保有数情報１２ａに記録する。【０１００】
以上の処理が実行されることによって、受信／記録装置１０は、実際にはコンテンツを１つだけ記録しているが、同一コンテンツを恰も２つ保持しているものとして扱うことができる。そして、保有数記憶手段１２１は、コンテンツ保有数情報１２ａにもとづいて、記録したコンテンツの保有数を管理する。【０１０１】
例えば、地上波ディジタル放送のコンテンツをＨＤＤレコーダに記録するとともにＤＶＤレコーダにも保持したい場合、受信／記録装置１０は、レコーダユーザの操作に従って、レコーダ１４に記録するコンテンツをＤＶＤレコーダにムーブする。この場合、受信／記録装置１０は、レコーダ１４が記録するコンテンツをＤＶＤレコーダにコピーする。また、録画管理部１２２は、保有数記憶手段１２１にコンテンツ保有数情報１２ａの更新を指示する。保有数記憶手段１２１は、録画管理部１２２の指示に従って、コンテンツ保有数情報１２ａに含まれる「コピー不可コンテンツを２つ保持」の情報を「コピー不可コンテンツを１つ保持」の情報に変更する。そのようにすることによって、受信／記録装置１０は、実際にはコンテンツを１つだけ記録している状態に変わりはないが、恰も２つ保持しているコンテンツのうちの１つをＤＶＤレコーダにムーブしたものとして扱うことができる。【０１０２】
なお、ステップＳ１５において、予約録画中にレコーダユーザ以外のユーザ（例えば、チューナ２３のユーザ）が割り込みによってチューナ２３を利用できるようにしてもよい。この場合、例えば、チューナ制御部２１は、現在チューナ２３が予約録画に利用中である旨を含む利用予約情報を表示部に表示させる。チューナ２３のユーザは、表示された利用予約情報を確認し、予約録画中であってもチューナ２３を利用したいと判断した場合、利用予約情報２１ａの変更を入力指示する。すると、チューナ制御部２１は、チューナ２３のユーザの変更指示に従って利用予約情報２１ａを変更する。【０１０３】
また、録画途中で利用予約情報を変更した場合、保有数記憶手段１２１は、利用予約情報の変更前後で異なるコンテンツ保有数の情報をコンテンツ保有数情報１２ａに記録してもよい。例えば、保有数記憶手段１２１は、利用予約情報の変更前についてコピー不可コンテンツを２個保持する旨の情報を記録し、利用予約情報の変更後について同一のコピー不可コンテンツを１個保持する旨の情報を記録してもよい。【０１０４】
以上のように、本実施の形態によれば、受信／記録装置１０は、同一のコンテンツの複数録画を指示されると、コンテンツの録画数と同数のチューナのチューナ利用権を確保する。また、受信／記録装置１０は、確保したチューナのうちのいずれか１つのチューナが受信したコンテンツを記録する。そして、受信／記録装置１０は、確保したチューナの数をコンテンツの保有数として含むコンテンツ保有数情報１２ａを記録する。そのため、受信／記録装置１０は、実際にはコンテンツを１つだけ記録しているが、同一コンテンツを恰も複数保有しているものとして扱うことができる。従って、同一コンテンツを複数記録する必要がなく、著作権保護のためにコンテンツにコピー制限が課せられている場合であっても、記録領域を有効に利用してコンテンツを記録できる。また、記録装置を複数用意しなくても、同一コンテンツを複数保有することができる。【０１０５】
なお、本実施の形態では、図７に示すように、映像／音声記録システムが受信／記録装置１０と受信装置２０とを含む場合を説明したが、映像／音声記録システムの具体的構成は、本実施の形態で示したものに限られない。例えば、記録手段と全ての受信手段とを、一体的に１つの装置を用いて実現してもよい。図１５は、図４に示す映像／音声記録システムの他の具体的な構成例を示すブロック図である。図１５に示すように、映像／音声記録システムは、コンテンツ／録画管理部１２及び２つのチューナ制御部１１，２１を含む受信／記録装置１０Ａによって実現される。【０１０６】
図１５に示す例では、受信／記録装置１０Ａは、例えば、ダブルチューナＨＤＤレコーダである。この場合、記録手段と各受信手段とが一体的に構成されているので、受信／記録装置１０Ａが各チューナの利用予約情報を一括して設定したり管理したりする。また、ユーザはダブルチューナＨＤＤレコーダのユーザのみであるので、受信／記録装置１０Ａは、レコーダユーザの操作に従って、チューナ利用権の設定や変更を行ったり、コンテンツの録画制御やコンテンツの保有数の管理を行う。【０１０７】
また、映像／音声記録システムは、ネットワークを介して、複数の受信／記録装置や複数の受信装置を含むものであってもよい。図１６は、ネットワークを介した映像／音声記録システムの具体的な構成の一例を示すブロック図である。図１６に示すように、映像／音声記録システムは、受信／記録装置１０として、チューナを内蔵するＤＶＤ／ＨＤＤレコーダ１０Ｂやビデオレコーダ１０Ｃ等を含む。また、映像／音声記録システムは、受信装置２０として、チューナを内蔵するテレビジョン受信機２０Ａやパーソナルコンピュータ２０Ｂ、携帯電話機２０Ｃ等を含む。そして、各受信／記録装置１０Ｂ，Ｃ及び各受信装置２０Ａ，Ｂ，Ｃは、インターネットやＬＡＮ等の通信ネットワーク１００を介して接続される。【０１０８】
実施の形態２．
次に、本発明の第２の実施の形態を図面を参照して説明する。第１の実施の形態では、チューナを備える受信装置側で利用権の管理を行い、記録装置側でコンテンツ管理や録画管理を行う場合を説明したが、本実施の形態では、サーバが利用権の管理やコンテンツ管理、録画管理を一括して行う場合を説明する。なお、映像／音声記録システムは複数の記録手段と複数の受信手段とを含みうるが、本実施の形態では、第１の実施の形態と同様に、最も基本的な構成として、映像／音声記録システムが１つの記録手段と２つの受信手段とを含む場合を説明する。【０１０９】
図１７は、映像／音声記録システムの他の構成例を示すブロック図である。図１７に示すように、映像／音声記録システムは、２つのチューナ１３，２３と、レコーダ１４と、管理サーバ５０とを含む。【０１１０】
チューナ（受信手段）１３，２３は、具体的にはテレビジョン受信機等の受信装置が搭載するチューナであり、放送局３０が放送するコピーワンス信号を付加されたコンテンツを受信する機能を備える。また、本実施の形態では、チューナユーザによってチューナ１３，２３の利用予約の入力指示をされると、各受信装置は、チューナユーザの入力指示に従って、利用予約内容の情報を管理サーバ５０に送信する。【０１１１】
レコーダ（記録手段）１４は、具体的には、ＨＤＤレコーダやＤＶＤレコーダ、ビデオレコーダ等の記録装置によって実現される。本実施の形態では、レコーダ１４は、管理サーバ５０からの指示に従って、チューナ１３，２３が受信したコンテンツを記録媒体１４１に記録する機能を備える。【０１１２】
なお、本実施の形態において、チューナ１３，２３を搭載する各受信装置と、レコーダ１４と、管理サーバ５０とは、インターネットやＬＡＮ等の通信ネットワークを介して接続される。【０１１３】
また、図１７の例においては、管理サーバ５０は、チューナ制御部１５、録画管理部１２２と保有数記憶手段１２１を含むコンテンツ／録画管理部１２を含む構成となっているが、コンテンツ／録画管理部１２を別の機器で構成し、チューナ制御部１５の機能だけで構成されていてもよい。この場合、チューナ制御部１５とコンテンツ／録画管理部１２は通信ネットワークを介して接続され動作する。【０１１４】
また、以下では、管理サーバ５０は録画スケジュール１２ｂやコンテンツ保有数情報１２ａを管理サーバ５０内に記憶する構成で説明しているが、これらの情報は管理サーバ外の記憶手段（図示せず）に記録されている構成であってもよい。【０１１５】
管理サーバ５０は、具体的には、パーソナルコンピュータ等の情報処理装置である。図１７に示すように、管理サーバ５０は、チューナ制御部１５及びコンテンツ／録画管理部１２を含む。なお、管理サーバ５０は、サーバ機能を備えたＨＤＤレコーダやＤＶＤレコーダ、ビデオレコーダ等によって実現されてもよい。【０１１６】
チューナ制御部１５は、具体的には、プログラムに従って動作する管理サーバ５０のＣＰＵ及び記憶装置によって実現される。チューナ制御部１５は、図１７に示すように、各チューナ１３，２３の利用予約状況を示す情報である利用予約情報１５ａを記憶している。チューナ制御部１５は、利用予約情報１５ａにもとづいて、チューナ１３及びチューナ２３の利用管理を行う機能を備える。本実施の形態では、チューナ制御部１５は、各受信装置から利用予約内容の情報を受信すると、受信した利用予約内容の情報を利用予約情報１５ａに登録したり変更したりして、チューナ利用権を設定する機能を備える。【０１１７】
本実施の形態では、第１の実施の形態と異なり、チューナ１３，２３からなる各受信装置側で利用予約情報を管理するのではなく、管理サーバ５０側で利用予約情報を記憶し各チューナ１３，２３の利用権を一括管理する。ただし、チューナ１３，２３からなる各受信装置は、チューナ１３，２３を利用可か利用不可かの情報だけを記憶している。なお、チューナ制御部１５がチューナ１３，２３の利用管理を行う基本的な処理は、第１の実施の形態におけるチューナ制御部１１，２１が行う利用管理の処理と同様である。【０１１８】
コンテンツ／録画管理部１２は、具体的には、プログラムに従って動作する管理サーバ５０のＣＰＵ及び記憶装置によって実現される。コンテンツ／録画管理部１２は、第１の実施の形態と同様に、保有数記憶手段１２１と録画管理部１２２とを含む。また、第１の実施の形態と同様に、保有数記憶手段１２１は、コンテンツ保有数情報１２ａを記憶しており、コンテンツ保有数情報１２ａにもとづいてレコーダ１４に記録するコンテンツを管理する機能を備える。【０１１９】
また、第１の実施の形態と同様に、録画管理部１２２は、録画スケジュール１２ｂを記憶しており、録画スケジュール１２ｂにもとづいて録画管理を行う機能を備える。また、本実施の形態では、録画管理部１２２は、同一のコンテンツの複数録画を指示された場合、チューナ制御部１５の利用予約情報１５ａにもとづいて、録画に用いるチューナ１３，２３を確保する。【０１２０】
なお、本実施の形態において、保有数記憶手段１２１及び録画管理部１２２が行う基本的な処理は、第１の実施の形態におけるそれらの処理と同様である。【０１２１】
また、本実施の形態において、管理サーバ５０の記憶装置は、映像音声コンテンツの記録を行うための各種プログラムを記憶している。例えば、管理サーバ５０の記憶装置は、コンピュータに、同一のコンテンツの複数記録が指示されると、コンテンツの記録数と同数のコンテンツ受信手段を確保する処理と、確保したコンテンツ受信手段のうちのいずれか１つのコンテンツ受信手段が受信したコンテンツを、記録手段に記録させる処理と、確保したコンテンツ受信手段の数をコンテンツの保有数として含むコンテンツ保有数情報を記憶する処理と、記憶したコンテンツ保有数情報にもとづいて、記録手段に記録させたコンテンツの保有数を管理する処理とを実行させるための映像／音声管理プログラムを記憶している。【０１２２】
次に、動作について説明する。本実施の形態では、チューナ１３，２３を搭載する各受信装置は、チューナユーザの利用予約の入力指示に従って、利用予約内容の情報を通信ネットワークを介して随時管理サーバ５０に送信している。そして、管理サーバ５０のチューナ制御部１５は、受信した利用予約内容の情報にもとづいて、利用予約情報１５ａを随時更新ししている。【０１２３】
管理サーバ５０のユーザ（以下、サーバユーザともいう）は、コンテンツを録画させたい場合、管理サーバ５０を操作して、コンテンツの録画日時や希望録画数Ｎ等の指定情報を入力指示する。すると、管理サーバ５０は、レコーダユーザの入力指示に従って、コンテンツの録画日時及び希望録画数Ｎを入力する。【０１２４】
なお、レコーダユーザが録画日時や希望録画数Ｎを入力できるようにしてもよい。この場合、レコーダ１４は、レコーダユーザの入力指示に従って、コンテンツの録画日時及び機能録画数Ｎを入力し、通信ネットワークを介して管理サーバ５０に送信する。【０１２５】
録画日時及び希望録画数Ｎを受信すると、管理サーバ５０の録画管理部１２２は、チューナ制御部１５から利用予約情報１５ａを入力し、録画日時に利用権を設定されていないチューナ数を求める。また、録画管理部１２２は、求めた利用権を設定されていないチューナ数が希望録画数Ｎに満たない場合にはコンテンツの録画数を調整し、調整結果にもとづいて録画数Ｍ及び利用チューナを決定する。なお、利用権を設定されていないチューナ数を求める基本的な処理や、録画数Ｍ及び利用チューナを決定する基本的な処理は、第１の実施の形態におけるそれらの処理（図８に示すステップＳ１２，Ｓ１３）と同様である。【０１２６】
録画数の調整を行う場合、例えば、録画管理部１２２は、希望録画数Ｎにかかわらず、利用権を設定されていないと判定したチューナ数を録画数Ｍとして決定する。また、例えば、チューナユーザに録画日時を通知し、利用予約の変更を促すようにしてもよい。この場合、例えば、録画管理部１２２は、利用予約の変更の可否の通知情報を通信ネットワークを介して各受信装置から受信し、受信した通知情報にもとづいて録画数Ｍ及び利用チューナを決定する。【０１２７】
また、録画数の調整を行う場合、サーバユーザの判断で優先予約できるようにしてもよい。例えば、録画管理部１２２は、コンテンツの録画を優先予約するか否かの入力画面を、管理サーバ５０の表示部に表示させる。【０１２８】
図１８は、コンテンツ録画の優先予約の入力画面の更に他の例を示す説明図である。図１８に示すように、録画管理部１２２は、録画日時に重複する利用予約がある旨や、利用予約されている番組名、チャンネル、予約者等を表示させる。なお、本実施の形態では、チューナ毎の利用権の制御等を行わないので、図１８に示すように、録画管理部１２２は、第１の実施の形態におけるチューナ変更ボタンを表示しない。【０１２９】
サーバユーザは、表示された利用予約状況を確認し、自分が希望するコンテンツの録画を優先予約したいと判断すると、図１８に示す入力画面から「優先予約」ボタン１６１を選択し入力指示する。すると、録画管理部１２２は、重複する利用予約がある場合であっても、サーバユーザの録画予約を優先して希望録画数Ｎをそのまま録画数Ｍとして決定し利用チューナを決定する。また、サーバユーザは、自分の希望するコンテンツの録画予約を取り消す場合、図１８に示す入力画面から「取消」ボタン１６２を選択し入力指示する。すると、録画管理部１２２は、録画予約を取り消し処理を終了する。【０１３０】
また、管理サーバ５０に録画予約情報を表示させ、サーバユーザが録画予約の設定を変更できるようにしてもよい。この場合、例えば、サーバユーザは、図１８に示す入力画面から「録画予約情報」ボタン１６３を選択し入力指示する。すると、録画管理部１２２は、録画予約の設定を変更するための録画予約情報画面を表示部に表示させる。例えば、録画管理部１２２は、図１９に示す録画予約情報画面を管理サーバ５０の表示部に表示させる。サーバユーザが図１９に示す録画予約情報画面からマウスクリック等によって入力指示すると、録画管理部１２２は、サーバユーザの入力指示に従って録画予約の設定を変更する。【０１３１】
録画数Ｍ及び利用チューナを決定すると、録画管理部１２２は録画スケジュール１２ｂを更新し、チューナ制御部１５は利用予約情報１５ａを更新する。また、指定された録画日時になると、チューナ制御部１５は、通信ネットワークを介して受信装置に受信開始の指示情報を送信し、チューナ１３にコンテンツの受信を開始させる。また、録画日時になると、録画管理部１２２は、通信ネットワークを介して記録開始の指示情報をレコーダ１４に送信し、チューナ１３が出力するコンテンツの記録（録画）をレコーダ１４に開始させる。なお、チューナ制御部１５は、コンテンツの録画中、コンテンツの記録に用いない方のチューナ２３を利用不可となるように制御する。録画を終了しコンテンツを記録媒体１４１に記録すると、保有数記憶手段１２１は、録画管理部１２２の指示に従って、コンテンツ保有数情報１２ａを更新する。【０１３２】
なお、本実施の形態において、利用予約情報１５ａを更新したり、録画日時にコンテンツを記録しコンテンツ保有数情報１２ａを更新する基本的な処理は、第１の実施の形態におけるそれらの処理（図８に示すステップＳ１４からステップＳ１６）と同様である。【０１３３】
以上のように、本実施の形態によれば、各チューナの利用権や録画管理、コンテンツ管理を一括して行う管理サーバ５０を用いることによって、著作権保護のためにコンテンツにコピー制限が課せられている場合であっても、記録領域を有効に利用してコンテンツを記録できる。【０１３４】
また、チューナ利用権の管理をチューナ毎に行う場合、ある特定のチューナの利用が集中し、他のチューナが利用できる状態であっても予約録画やコンテンツ視聴をできない場合がある。本実施の形態によれば、各チューナのチューナ利用権を管理サーバ５０が一括して管理するので、各チューナの利用が偏らないように制御することができ、各チューナを効率的に利用することができる。
【産業上の利用可能性】
【０１３５】
本発明は、コピー制限を課せられたコンテンツを複数記録する用途に利用できる。特に、地上波ディジタル放送やＢＳディジタル放送において、コピーワンス信号を付加されたコンテンツを複数保有したい場合に、記録領域を有効に利用してコンテンツを記録することができる。
【図１】
2006059601.tif 000002
【図２】
2006059601.tif 000003
【図３】
2006059601.tif 000004
【図４】
2006059601.tif 000005
【図５】
2006059601.tif 000006
【図６】
2006059601.tif 000007
【図７】
2006059601.tif 000008
【図８】
2006059601.tif 000009
【図９】
2006059601.tif 000010
【図１０】
2006059601.tif 000011
【図１１】
2006059601.tif 000012
【図１２】
2006059601.tif 000013
【図１３】
2006059601.tif 000014
【図１４】
2006059601.tif 000015
【図１５】
2006059601.tif 000016
【図１６】
2006059601.tif 000017
【図１７】
2006059601.tif 000018
【図１８】
2006059601.tif 000019
【図１９】
2006059601.tif 000020
【図２０】
2006059601.tif 000021
【手続補正書】
【提出日】平成18年9月25日(2006.9.25)
【手続補正１】
【補正対象書類名】特許請求の範囲
【補正対象項目名】全文
【補正方法】変更
【補正の内容】
【書類名】請求の範囲
【請求項１】  映像と音声のいずれか、または、両方を含みコピー制限を課せられたコンテンツを記録する記録システムであって、前記コンテンツの記録時に利用可能な前記コンテンツの受信手段の数をコピー可能回数として記憶することを特徴とする映像／音声記録システム。
【請求項２】  映像と音声のいずれか、または、両方を含みコピー制限を課せられたコンテンツを記録する映像／音声記録システムであって、コンテンツを受信する複数のコンテンツ受信手段と、同一のコンテンツの複数記録が指示されると、コンテンツの記録数と同数のコンテンツ受信手段を確保する受信数確保手段と、コンテンツを記録するコンテンツ記録手段と、前記コンテンツ記録手段が記録するコンテンツの保有数を示すコンテンツ保有数情報を記憶する保有数記憶手段と、前記保有数記憶手段が記憶するコンテンツ保有数情報にもとづいて、前記コンテンツ記録手段が記録するコンテンツの保有数を管理する保有数管理手段とを備え、前記コンテンツ記録手段は、前記受信数確保手段が確保したコンテンツ受信手段のうちのいずれか１つのコンテンツ受信手段が受信したコンテンツを記録し、前記保有数記憶手段は、前記受信数確保手段が確保したコンテンツ受信手段の数をコンテンツの保有数として含むコンテンツ保有数情報を記憶することを特徴とする映像／音声記録システム。
【請求項３】  コンテンツ記録手段が記録するコンテンツを外部の記録手段にコピーするコンテンツコピー手段を備え、保有数管理手段は、前記コンテンツコピー手段がコンテンツを外部の記録手段にコピーすると、保有数記憶手段が記憶するコンテンツ保有数情報に示される保有数を、前記外部の記録手段にコピーしたコンテンツの数だけ減算する請求項２記載の映像／音声記録システム。
【請求項４】  コンテンツ受信手段を利用する権利である受信手段利用権を設定する利用権設定手段を備え、受信数確保手段は、同一のコンテンツの複数記録が指示されると、コンテンツの記録数と同数のコンテンツ受信手段に対する受信手段利用権を前記利用権設定手段に設定させることによって、コンテンツ受信手段を確保する請求項２又は請求項３記載の映像／音声記録システム。
【請求項５】  コンテンツ受信手段の利用予約状況を示す利用予約情報を記憶する利用予約情報記憶手段を備え、利用権設定手段は、コンテンツ受信手段の利用予約の要求に応じて、前記利用予約情報記憶手段が記憶する利用予約情報に新たな利用予約内容を追加することによって、受信手段利用権を設定する請求項４記載の映像／音声記録システム。
【請求項６】  利用予約情報記憶手段は、利用予約情報として、コンテンツ受信手段を利用する利用日時と、前記コンテンツ受信手段を利用する主体である利用主体とを対応付けて記憶し、利用権設定手段は、前記利用予約情報にもとづいて、前記利用主体以外による前記コンテンツ受信手段の利用要求を前記利用日時に受け付けないように制御することによって、前記利用主体の受信手段利用権を確保する請求項５記載の映像／音声記録システム。
【請求項７】  受信数確保手段は、同一のコンテンツの複数記録が指示されると、利用権設定手段によって受信手段利用権を設定されていないコンテンツ受信手段を特定し、前記指示された記録数が前記特定したコンテンツ受信手段の数以下であるか否かを判断し、前記指示された記録数が前記特定したコンテンツ受信手段の数以下であると判断すると、前記指示された記録数と同数のコンテンツ受信手段を確保し、前記指示された記録数が前記特定したコンテンツ受信手段の数より大きいと判断すると、所定の条件に従って確保すべきコンテンツ受信手段の数を決定し、前記決定した数のコンテンツ受信手段を確保する請求項４から請求項６のうちのいずれか１項に記載の映像／音声記録システム。
【請求項８】  受信数確保手段は、該指示された記録数が特定したコンテンツ受信手段の数より大きいと判断すると、前記特定したコンテンツ受信手段を確保する請求項７記載の映像／音声記録システム。
【請求項９】  受信数確保手段は、指示された記録数が特定したコンテンツ受信手段の数より大きいと判断すると、所定の優先条件に従って指示内容を優先するか否かを判断し、指示内容を優先すると判断すると、既に受信手段利用権を設定されているコンテンツ受信手段に対する受信手段利用権の設定を利用権設定手段に変更させることによって、指示された記録数と同数のコンテンツ受信手段を確保する請求項７記載の映像／音声記録システム。
【請求項１０】  映像と音声のいずれか、または、両方を含みコピー制限を課せられたコンテンツを記録する記録システムのコンテンツ管理サーバであって、前記コンテンツの記録時に利用可能な前記コンテンツの受信手段の数をコピー可能回数として記憶するように制御することを特徴とするコンテンツ管理サーバ。
【請求項１１】  映像と音声のいずれか、または、両方を含みコピー制限を課せられたコンテンツを記録する記録システムのコンテンツ管理サーバであって、前記コンテンツの受信手段に予約制御を行い、前記コンテンツの記録時に利用可能な前記コンテンツの受信手段の数をコピー可能回数として記憶するように制御することを特徴とするコンテンツ管理サーバ。
【請求項１２】  映像と音声のいずれか、または、両方を含みコピー制限を課せられたコンテンツを受信する複数のコンテンツ受信手段と、前記コンテンツを記録する記録手段とを少なくとも備えた映像／音声記録システムのコンテンツ管理サーバであって、同一のコンテンツの複数記録が指示されると、コンテンツの記録数と同数のコンテンツ受信手段を確保する受信数確保手段と、前記コンテンツ記録手段が記録するコンテンツの保有数を示すコンテンツ保有数情報を記憶するように制御を行う保有数記憶手段と、前記保有数記憶手段によって記憶するように制御されたコンテンツ保有数情報にもとづいて、前記コンテンツ記録手段が記録するコンテンツの保有数を管理する保有数管理手段とを含み、前記コンテンツ記録手段は、前記受信数確保手段が確保したコンテンツ受信手段のうちのいずれか１つのコンテンツ受信手段が受信したコンテンツを記録するように制御し、前記保有数記憶手段は、前記受信数確保手段が確保したコンテンツ受信手段の数をコンテンツの保有数として含むコンテンツ保有数情報を記憶するように制御することを特徴とするコンテンツ管理サーバ。
【請求項１３】  コンテンツ受信手段を利用する権利である受信手段利用権を設定する利用権設定手段を備え、受信数確保手段は、同一のコンテンツの複数記録が指示されると、コンテンツの記録数と同数のコンテンツ受信手段に対応する受信手段利用権を前記利用権設定手段に設定させることによって、コンテンツ受信手段を確保する請求項１２記載のコンテンツ管理サーバ。
【請求項１４】  映像と音声のいずれか、または、両方を含みコピー制限を課せられたコンテンツを受信する複数のコンテンツ受信手段を含むシステムにおける、前記コンテンツを記録する映像／音声記録装置であって、同一のコンテンツの複数記録が指示されると、コンテンツの記録数と同数のコンテンツ受信手段を確保する受信数確保手段と、コンテンツを記録するコンテンツ記録手段と、前記コンテンツ記録手段が記録するコンテンツの保有数を示すコンテンツ保有数情報を記憶する保有数記憶手段と、前記保有数記憶手段が記憶するコンテンツ保有数情報にもとづいて、前記コンテンツ記録手段が記録するコンテンツの保有数を管理する保有数管理手段とを備え、前記コンテンツ記録手段は、前記受信数確保手段が確保したコンテンツ受信手段のうちのいずれか１つのコンテンツ受信手段が受信したコンテンツを記録し、前記保有数記憶手段は、前記受信数確保手段が確保したコンテンツ受信手段の数をコンテンツの保有数として含むコンテンツ保有数情報を記憶することを特徴とする映像／音声記録装置。
【請求項１５】  映像と音声のいずれか、または、両方を含みコピー制限を課せられたコンテンツを記録する映像／音声記録システムにおける、前記コンテンツを受信する受信装置であって、前記コンテンツを受信するコンテンツ受信手段を利用する権利である受信手段利用権の利用主体を、他の利用主体へと変更する受信手段利用権変更手段を備えたことを特徴とする映像／音声記録システムの受信装置。
【請求項１６】  映像と音声のいずれか、または、両方を含みコピー制限を課せられたコンテンツを記録する映像／音声記録システムにおける、前記コンテンツを受信する受信装置であって、前記コンテンツを受信するコンテンツ受信手段と、前記コンテンツ受信手段を利用する権利である受信手段利用権を設定する利用権設定手段と、前記コンテンツ受信手段の利用予約状況を示す利用予約情報を記憶する利用予約情報記憶手段を備え、前記利用予約情報記憶手段は、利用予約情報として、コンテンツ受信手段を利用する利用日時と、前記コンテンツ受信手段を利用する主体である利用主体とを対応付けて記憶し、利用権設定手段は、前記利用予約情報にもとづいて、前記利用主体以外による前記コンテンツ受信手段の利用要求を前記利用日時に受け付けないように制御することによって、前記利用主体の受信手段利用権を確保することを特徴とする映像／音声記録システムの受信装置。
【請求項１７】  映像と音声のいずれか、または、両方を含みコピー制限を課せられたコンテンツを記録する映像／音声記録システムにおける、前記コンテンツを受信し記録するレコーダであって、前記コンテンツを受信するコンテンツ受信手段を利用する権利である受信手段利用権の利用主体を、他の利用主体へと変更する受信手段利用権変更手段を備えたことを特徴とする映像／音声記録システムのレコーダ。
【請求項１８】  映像と音声のいずれか、または、両方を含みコピー制限を課せられたコンテンツを受信する複数のコンテンツ受信手段を備えたシステムにおける、前記コンテンツを記録する映像／音声記録方法であって、同一のコンテンツの複数記録が指示されると、コンテンツの記録数と同数のコンテンツ受信手段を確保するステップと、前記確保したコンテンツ受信手段のうちのいずれか１つのコンテンツ受信手段が受信したコンテンツを記録するステップと、前記確保したコンテンツ受信手段の数をコンテンツの保有数として含むコンテンツ保有数情報を記憶するステップと、前記記憶したコンテンツ保有数情報にもとづいて、前記記録したコンテンツの保有数を管理するステップとを含むことを特徴とする映像／音声記録方法。
【請求項１９】  同一のコンテンツの複数記録が指示されると、コンテンツの記録数と同数のコンテンツ受信手段に対応する、当該コンテンツ受信手段を利用する権利である受信手段利用権を設定することによって、コンテンツ受信手段を確保する請求項１８記載の映像／音声記録方法。
【請求項２０】  映像と音声のいずれか、または、両方を含みコピー制限を課せられたコンテンツを受信する複数のコンテンツ受信手段と、前記コンテンツを記録する記録手段とを備えた記録するシステムにおける、前記記録するコンテンツを管理するための映像／音声管理プログラムであって、コンピュータに、同一のコンテンツの複数記録が指示されると、コンテンツの記録数と同数のコンテンツ受信手段を確保する処理と、前記確保したコンテンツ受信手段のうちのいずれか１つのコンテンツ受信手段が受信したコンテンツを、前記記録手段に記録させる処理と、前記確保したコンテンツ受信手段の数をコンテンツの保有数として含むコンテンツ保有数情報を記憶する処理と、前記記憶したコンテンツ保有数情報にもとづいて、前記記録手段に記録させたコンテンツの保有数を管理する処理とを実行させるための映像／音声管理プログラム。
【請求項２１】  映像と音声のいずれか、または、両方を含みコピー制限を課せられたコンテンツを記録する映像／音声記録システムにおける、前記コンテンツを受信する受信装置であって、
コンテンツ受信手段を利用する権利である受信手段利用権を、所定の利用主体に設定する利用権設定手段と、
前記利用権設定手段により設定した利用主体を、別の利用主体に変更する受信手段利用権変更手段と
を有することを特徴とする映像／音声記録システムの受信装置。
【請求項２２】  前記受信装置の受信手段利用権は、前記利用主体が前記受信手段を利用する日時を含むことを特徴とする請求項１５または請求項２１に記載の映像／音声記録システムの受信装置。
【請求項２３】  前記受信装置の受信手段利用権は、前記受信手段を識別する識別情報を含むことを特徴とする請求項１５または請求項２１に記載の映像／音声記録システムの受信装置。
【請求項２４】  映像と音声のいずれか、または、両方を含みコピー制限を課せられたコンテンツを記録する映像／音声記録システムにおける、前記コンテンツを受信し記録するレコーダであって、
コンテンツ受信手段を利用する権利である受信手段利用権を、所定の利用主体に設定する利用権設定手段と、
前記利用権設定手段により設定した利用主体を、別の利用主体に変更する受信手段利用権変更手段と
を有することを特徴とする映像／音声記録システムのレコーダ。
【請求項２５】  前記受信装置の受信手段利用権は、前記利用主体が前記受信手段を利用する日時を含むことを特徴とする請求項１７または請求項２４に記載の映像／音声記録システムのレコーダ。
【請求項２６】  前記受信装置の受信手段利用権は、前記受信手段を識別する識別情報を含むことを特徴とする請求項１７または請求項２４に記載の映像／音声記録システムのレコーダ。
【国際調査報告】
2006059601.tif 000022
2006059601.tif 000023
2006059601.tif 000024
2006059601.tif 000025
2006059601.tif 000026
2006059601.tif 000027